(57)【特許請求の範囲】
【請求項１】
上開口を蓋体により開閉自在とした箱体を複数並設した床置き畳台において、側板の端面を隣接する側板の側面端部に突き合わせると共に該突き合わせ部分においてねじ具で固着することで上方が開口した箱体を構成し、該箱体の出隅部分に上下方向にわたってコーナカバー部材を外方に突出するように取付けると共にコーナカバー部材により側板の端面及びねじ具を覆い、蓋体を閉じた状態で、平面視で蓋体の外端が側板の外面よりも外側に位置し且つ４隅部のコーナカバー部材の突出先端を結ぶ線と同じ又はコーナカバー部材の突出先端を結ぶ線よりも内側に位置し、隣接する箱体のコーナカバー部材同士を当接し、隣接する箱体の側板の上端部に跨るように断面コ字状の連結部材を被嵌して両側板同士を連結すると共に連結部材の上横片で両側板間の隙間を隠し、該上横片上に隣接する箱体の各蓋体の側端が位置していることを特徴とする床置き畳台。
【発明の詳細な説明】
【技術分野】
【０００１】
本発明は、床置き畳台、詳しくは上開口に開閉自在な蓋体を設け且つ内部が収納用の空所となった床置き畳台に関するものである。
【背景技術】
【０００２】
従来から上開口に開閉自在な蓋体を設け且つ内部が収納用の空所となった床置き畳台が特許文献１、特許文献２により知られている。
【０００３】
この特許文献１、引用文献２に示された従来例は、現場で側板の端面を隣接する側板の側面端部に突き合わせると共に該突き合わせ部分においてねじ具で固着することで上方が開口した箱体を組み立て構成し、この箱体の上開口を開閉自在にするための蓋体を設け、該蓋体を有する箱体を単体で又は複数並設し、側面の外に見える部分に化粧側板を取付け、箱体を単体で使用する場合は単体の上面外周に、複数並設した場合には複数並設したものの上面外周に框を現場で取付け、上面外周を框で囲むようにしていた。この場合、箱体単体で使用する場合は蓋体の外周を框で囲み、箱体を複数並設する場合は隣接する箱体の側面同士を当接させてねじ具により連結し、複数の隣接する蓋体の側面同士を当接すると共に並設した複数の蓋体の外周を框で囲むようにしていた。
【０００４】
この従来例にあっては、蓋体を開こうとする場合、框と隣接する蓋体の側面との間に殆ど隙間がなく、また、隣接する蓋体の側面間にも殆ど隙間がないので蓋体を開き難いという問題がある。このため、従来にあっては、蓋体を上方からの荷重を支える蓋本体と、該蓋本体の上面に載置される厚みが薄くて軽い薄畳との２部材に分割し、薄畳は蓋本体に対して非固定で、単に載置してあるだけで、この薄畳の上面が框材よりも僅かに突出していた。そして、この薄畳の框材より僅かに突出した上面部の外端部に指先を掛けることで、薄くて軽い薄畳を取外して蓋本体の上面を露出させ、その後、蓋本体の上面に露出している把手部を手で掴んで厚くて重量のある蓋本体を開くようにしている。
【０００５】
このような従来例にあっては、現場において化粧側板、框を取付ける作業が必要で組み立て作業が面倒であるだけでなく、部品点数も増えてコストが高くなるという問題があり、また、框で蓋体の側端面を囲むため、荷重を支持するため厚くて重量のある蓋本体の端面が露出せず、したがって、蓋体を開く際、框付近では手がかりとなる部分がないので、薄畳を蓋本体に対して非固定とし、この軽くて薄い薄畳を取外した後に、蓋本体の上面を露出して設けた把手部を手で掴んで厚くて重量のある蓋本体を開くという２段階の操作が必要で、蓋体を開く操作が面倒であり、また、従来にあっては蓋本体の上面に露出するように把手部を特別に取付ける必要があり、また、薄畳は蓋本体に対して非固定で単に載置してあるだけであり、しかも薄畳の上面部が框よりも少し上方に突出して指先が掛かるようにしてこの薄畳の僅かに突出した部分に指を掛けることで小さな力で薄畳が取外せるようにしているので、通常の使用状態で、框よりも少し上方に突出した薄畳の上面部の端部に何かが引っ掛かった場合に、薄くて軽い薄畳が剥がれたりし易いという問題がある。また、従来にあっては、隣接する蓋体間の真下が隣接する箱体の側板同士が当接した部分となるため蓋体間の僅かな隙間から入ったごみが隣接する箱体の側板同士の当接した部分の僅かな隙間に詰まって掃除がし難く、蓋体を開いた状態で、隣接する箱体の側板同士の当接した部分の僅かな隙間に詰まったごみが見苦しいという問題がある。
【特許文献１】特開２００４−３２４１１１号公報
【特許文献２】特開２００５−６８７７０号公報
【発明の開示】
【発明が解決しようとする課題】
【０００６】
本発明は上記の従来の問題点に鑑みて発明したものであって、簡単な構成で蓋体の端部に指先を掛けて蓋体を開くことができ、しかも、従来のように化粧側板や框を必要とせず、現場における組み立て作業が簡略化でき、また、箱体同士の連結が簡単で、また、隣接する蓋体間の僅かな隙間からごみが入っても連結部材の上横片で受けて簡単に掃除できる畳台を提供することを課題とするものである。
【課題を解決するための手段】
【０００７】
上記課題を解決するために本発明に係る畳台は、上開口１を蓋体２により開閉自在とした箱体３を単体又は複数並設した床置き畳台４において、側板５の端面を隣接する側板５の側面端部に突き合わせると共に該突き合わせ部分においてねじ具６で固着することで上方が開口した箱体３を構成し、該箱体３の出隅部分に上下方向にわたってコーナカバー部材７を外方に突出するように取付けると共にコーナカバー部材７により側板５の端面及びねじ具６を覆い、蓋体２を閉じた状態で、平面視で蓋体２の外端が側板５の外面よりも外側に位置し且つ４隅部のコーナカバー部材７の突出先端を結ぶ線と同じ又はコーナカバー部材７の突出先端を結ぶ線よりも内側に位置し、隣接する箱体３のコーナカバー部材７同士を当接し、隣接する箱体３の側板５の上端部に跨るように断面コ字状の連結部材８を被嵌して両側板５同士を連結すると共に連結部材８の上横片９で両側板５間の隙間１０を隠し、該上横片９上に隣接する箱体３の各蓋体２の側端が位置していることを特徴とするものである。
【０００８】
このような構成とすることで、箱体３を複数並設するものにおいて、手前に位置する蓋体２を先に開くことで隣接する蓋体２の外端が露出するため、この部分に手を掛けて隣接する蓋体２を開くことができる。したがって、従来のように薄畳を別体として、先に薄畳を取外した後、蓋本体を取外すというような２段階の作業が必要でなく、開閉作業が容易となる。また、上記のように蓋体２の上面部を別体にする必要がないので、蓋体２の上面部の端部に物が引っ掛かった程度の外力では外れたりしない。しかも、箱体３の出隅部分に上下方向にわたってコーナカバー部材７を外方に突出するように取付けると共にコーナカバー部材７により側板５の側端面及びねじ具６を覆うので、従来のように化粧側板を必要とせず、また、框も必要としないので、部品点数も減ってコストダウンを図ることができ、現場における組み立ても容易となる。また、隣接する箱体３のコーナカバー部材７同士を当接し、隣接する箱体３の側板５の上端部に跨るように断面コ字状の連結部材８を被嵌して両側板５同士を連結すると共に連結部材８の上横片９で両側板５間の隙間１０を隠し、該上横片９上に隣接する箱体３の各蓋体２の側端が位置しているので、隣接する箱体３の側板５の上端部に跨るように断面コ字状の連結部材８を被嵌することで両側板５同士を連結することができ、現場における連結作業が容易に行え、また、連結部材８の上横片９で両側板５間の隙間１０を隠し、上横片９上に隣接する箱体３の各蓋体２の側端が位置するので、隣接する蓋体の間から入ったごみは連結部材８の上横片９で受けられ、蓋体２を開くことで、簡単に掃除することができる。
【発明の効果】
【００１１】
箱体の出隅部分に上下方向にわたってコーナカバー部材を外方に突出するように取付けると共にコーナカバー部材により側板の端面及びねじ具を覆い、蓋体を閉じた状態で、平面視で蓋体の外端が側板の外面よりも外側に位置し且つ４隅部のコーナカバー部材の突出先端を結ぶ線と同じ又はコーナカバー部材の突出先端を結ぶ線よりも内側に位置し、隣接する箱体のコーナカバー部材同士を当接し、隣接する箱体の側板の上端部に跨るように断面コ字状の連結部材を被嵌して両側板同士を連結すると共に連結部材の上横片で両側板間の隙間を隠し、該上横片上に隣接する箱体の各蓋体の側端が位置しているので、蓋体の側端の側板の外面よりも外側に突出した部分に指先を掛けて蓋体を開くことができ、従来のように薄畳と蓋本体とに分割して、２段階で取外すものに比べて蓋体の開閉操作が容易に行える。しかも、化粧側板や框を必要とせず、現場における組み立て作業が簡略化でき、また、隣接する箱体の側板の上端部に跨るように断面コ字状の連結部材を被嵌することで、箱体同士の連結が簡単にでき、また、隣接する蓋体間の僅かな隙間からごみが入っても連結部材の上横片で受けて簡単に掃除できる。
【発明を実施するための最良の形態】
【００１３】
以下、本発明を添付図面に示す実施形態に基いて説明する。箱体３としては、ハッチ用箱体３ａと、引出し用箱体３ｂとの２種類がある。
【００１４】
ハッチ用箱体３ａは図６に示すように、前後左右の側板５（５ａ、５ｂ、５ｃ、５ｄ）と、底板１１とを組み立てることで構成してある。隣接する側板５は一方の側板５の側面の端部に他方の側板５の端面を当接してねじ具６により固着するもので、図６の実施形態では前の側板５ａの側面の両端部に設けたダボ穴１２にそれぞれ左右の側板５の一端面に設けたダボ１３を接着剤を塗布した状態で嵌め込み、この状態で左右の側板５ｃ、５ｄ、前の側板５ａの側面の下端部に設けた溝１４に接着剤を塗布した状態で底板１１の３辺の端縁部を嵌め込み、更に、左右の側板５ｃ、５ｄの他方の端面のダボ１３に後の側板５ｂの側面の両端部に設けたダボ穴１２を接着剤を塗布した状態で嵌め込むと共に底板１１の残りの一辺の端縁部を後の側板５ｂの側面の下端部に設けた溝１４に接着剤を塗布した状態で嵌め込んで隣接する側板５同士が一方の側板５の側面の端部に他方の側板５の端面を当接した状態で箱形状に仮組みし、この仮組み状態で、ねじ具６により側板５同士を固着する。
【００１５】
このようにして組み立てた底板１１を有し且つ上開口１を有するハッチ用箱体３ａの左右の側板５の内側の側面の後部の上端に図７に示すようにリンク装置１５を取付ける。リンク装置１５は、側板５（左右の側板５ｃ、５ｄ）に固定する側板固定部１６の前端部の上部に第１リンク板１７の下端部が軸１８により回動自在に軸支してあり、側板固定部１６の後端部の下部に第２リンク板１９の下端部が軸２０により回動自在に軸支してあり、また、蓋体２の下面の後端部の両側部に固定するＬ状をした蓋側固定部２２の蓋体２から突出する片の上部に第１リンク板１７の上端部を軸２３により回動自在に軸支してあり、更に、蓋側固定部２２の蓋体２から突出する片の下部に第２リンク板１９の上端部を軸２４により回動自在に軸支してあり、更に、第２リンク板１９の軸２０による枢支位置よりも上方位置に設けたばね取付け部２５と側板固定部１６の軸１８よりも下方位置に設けたばね取付け部２６とにコイルスプリング２７の両端部を取付けて第２リンク板１９を引っ張って回動させようとするばね力を付与している。
【００１６】
そして、図５（ａ）のように蓋体２を開いた状態で、第２リンク板１９がコイルスプリング２７による引張ばね力が作用することで図５（ａ）の蓋体２の開き状態が維持されるようになっている。この図５（ａ）の蓋体２の開き状態で蓋体２の後端面は左右の側板５ｃ、５ｄの上面より少し浮き且つ後の側板５ｂよりも前方にずれた位置で起立するように構成してある。
【００１７】
上記図５（ａ）の蓋体２の開き状態で蓋体２の前端部を手で持って閉じる方向に回動すると、軸２３を中心に軸２４がコイルスプリング２７のばね力に抗して回動することで、蓋体２を閉じることができ、この場合、第１リンク板１７が図５（ａ）において軸１８を中心に時計回り方向に回動し且つ第１リンク板１７の上端の軸２３を中心に第２リンク板１９の上端の軸２４が回動するので、第２リンク板１９が図５（ａ）において軸２０を中心に時計回り方向に回動し、図５（ｂ）のように蓋体２によりハッチ用箱体３ａの上開口を閉じるようになっている。
【００１８】
上記リンク装置１５は側板５にリンクカバー２８を取付けて覆うようになっている。
【００１９】
箱体３の出隅部には縦溝２９が設けてある。添付図面に示す実施形態においては、前後の側板５ａ、５ｂの外面側の端部付近に上下方向にわたって縦溝２９を設け、更に、該前後の側板５ａ、５ｂの内面の端部と端面とのなす角部にＬ状段落部を上下方向にわたって設け、このＬ状段落部と隣接する左右の側板５ｃ、５ｄの端面とにより縦溝２９を設けてある。
【００２０】
ハッチ用箱体３ａの出隅部分を覆うコーナカバー部材７は合成樹脂により形成してあって弾性を有するものであり、図１４に示すように断面略Ｌ字状をした両側片３０の内面側の先端部にそれぞれ係合突部３１が設けてあり、このコーナカバー部材７は取付け前の状態では両側片３０の先端部同士のなす角度は９０°未満である。そして、コーナカバー部材７を弾性的に９０°の開き角度となるように広げた状態で両係合突部３１を上記両縦溝２９に上方から差し込むことでハッチ用箱体３ａの出隅部分にコーナカバー部材７を外方に突出するように取付けると共にコーナカバー部材７により側板５の側端面及びねじ具６を覆って外観が良くなるようにしている。これにより従来のように化粧側板を別途必要としない。
【００２１】
蓋体２は上面部が畳部分となっており、畳部分は下部の荷重を支持する蓋体本体に固着してある。この蓋体２は前述のように閉じることでハッチ用箱体３ａの上開口を閉じるように構成してあるのであるが、蓋体２は各側板５の上端面に載置されて荷重を各側板５に伝達するようになっている。
【００２２】
そして、蓋体２の大きさは、蓋体２を閉じた状態で、平面視で蓋体２の外端が側板５の外面よりも外側に位置し且つ４隅部のコーナカバー部材７の突出先端を結ぶ線と同じ又はコーナカバー部材７の突出先端を結ぶ線よりも内側に位置するような大きさに設定してある。
【００２３】
また、引出し用箱体３ｂは図９に示すように、前後左右の側板５（５ａ、５ｂ、５ｃ、５ｄ）と、中枠板３２とを組み立てることで構成してある。本実施形態では前の側板５ａの上下長さは短く、左右の側板５ｃ、５ｄの上端間に架設して取付けられる。隣接する側板５は一方の側板５の側面の端部に他方の側板５の端面を当接してねじ具６により固着するもので、図９の実施形態では後の側板５ｂの側面の両端部に設けたダボ穴１２にそれぞれ左右の側板５ｃ、５ｄの一端面に設けたダボ１３を接着剤を塗布した状態で嵌め込み、この状態で左右の側板５ｃ、５ｄ、後の側板５ｂの側面の上端よりもやや下位置に設けた溝３３に接着剤を塗布した状態で中枠板３２の３辺の端縁部を嵌め込み、更に、左右の側板５ｃ、５ｄの他方の端面の上部に設けたダボ１３に上下長さの短い前の側板５ａの側面の両端部に設けたダボ穴１２を接着剤を塗布した状態で嵌め込むと共に中枠板３２の残りの一辺の端縁部を前の側板５ａの側面に設けた溝３３に接着剤を塗布した状態で嵌め込んで、隣接する側板５同士が一方の側板５の側面の端部に他方の側板５の端面を当接した状態で箱形状に仮組みし、この仮組み状態で、ねじ具６により側板５同士を固着する。
【００２４】
このようにして組み立てた引出し用箱体３ｂは上開口１を設けるだけでなく底がなくしかも前面部に前開口３４が形成される。また、中枠板３２は外周部を除いて開口しており、この中枠板３２の開口部３５は引出し用箱体３ｂの上開口１よりも少し小さい開口となっていて上下に対向している。
【００２５】
組み立てた引出し用箱体３ｂの出隅部には縦溝２９が設けてある。添付図面に示す実施形態においては、前後の側板５ａ、５ｂの外面側の端部付近に上下方向にわたって縦溝２９を設け、更に、該前後の側板５ａ、５ｂの内面の端部と端面とのなす角部にＬ状段落部を上下方向にわたって設け、このＬ状段落部と隣接する左右の側板５ｃ、５ｄの端面とにより縦溝２９を設けてある。
【００２６】
図１４に示す前述のコーナカバー部材７の両係合突部３１を上記両縦溝２９に上方から差し込むことで引出し用箱体３ｂの出隅部分にコーナカバー部材７を外方に突出するように取付けると共にコーナカバー部材７により側板５の側端面及びねじ具６を覆って外観が良くなるようにしている。これにより従来のように化粧側板を別途必要としない。
【００２７】
組み立てた引出し用箱体３ｂの上開口１を開閉自在とする蓋体２は図１１に示すようなもので、裏面の四隅よりもやや内側にずれた位置にずれ防止脚部３６が下方に向けて突設してあり、引出し用箱体３ｂの上開口１に蓋体２を被せて蓋体２の裏面の周囲を引出し用箱体３ｂの上面に載置した状態で裏面の四隅よりもやや内側にずれた位置に設けたずれ防止脚部３６が中枠板３２の上面の四隅部分に載置されて蓋体２の横ずれを防止するようになっている。このように蓋体２の裏面の四隅よりもやや内側にずれた位置に設けたずれ防止脚部３６が中枠板３２の上面の四隅部分に載置して蓋体２を位置決めして閉じた状態で、平面視で蓋体２の外端が側板５の外面よりも外側に位置し且つ４隅部のコーナカバー部材７の突出先端を結ぶ線と同じ又はコーナカバー部材７の突出先端を結ぶ線よりも内側に位置するような大きさに蓋体２が設定してある。
【００２８】
したがって、蓋体２を手前に移動したり、外したりする場合は蓋体２の端部の側板５の外面よりも外側に突出した部分に指を掛けて蓋体２の端部を少し上に持ち上げた状態で引くことで、蓋体２を外したり、あるいは、蓋体２の後端を後側の側板５ｂの上端よりも前方にずらしたりすることができる。
【００２９】
引出し用箱体３ｂ内には図１１に示すような上方に開口する引出し３９が前開口３４から出し入れ自在に収納される。引出し３９は下面にキャスターが取付けてある。
【００３０】
上記の構成のハッチ用箱体３ａ、引出し用箱体３ｂはリビングなどのカーペット敷きやフローリングのなどの床上に単独で設置するか又は複数床に並設して設置するもので、蓋体２の上面部が畳部分となっているため、蓋体２上に座ったり、寝転んだりするものとして使用し、また、箱体３の内部には収納物を収納する。
【００３１】
複数並設して使用する場合は、隣接する箱体３のコーナカバー部材７同士を当接し、隣接する箱体３の側板５の上端部に跨るように図１５に示すような断面コ字状の連結部材８を図２、図１２、図１３のように被嵌して両側板５同士を連結すると共に連結部材８の上横片９で両側板５間の隙間１０を隠す。この場合、隣接する蓋体２の対向端面同士は当接又は僅かな隙間を介して対向し、この隣接する蓋体２の側端面の対向部分が上記連結部材８の上横片９の上に位置するものであり、隣接する蓋体２の側端面の対向部分間からごみが入っても上横片９で受けられ、蓋体２を開くことで簡単に上横片９にたまったごみを除去できる。
【００３２】
ここで、複数床上に並設して上記のように連結部材８で連結して使用する場合、ハッチ用箱体３ａは何処に配置してもよいが、引出し用箱体３ｂは前開口３４が壁や別の箱体３で遮蔽されない位置、つまり引出し３９が引出せる手前に配置する必要がある。
【００３３】
このように箱体３を複数並設したものにおいて、ハッチ用箱体３ａの上開口１を開として内部に収納物を出し入れするには、次のようにして行う。
【００３４】
すなわち、図３（ａ）のように、壁から離れた側である手前にハッチ用箱体３ａが位置する場合、まず、手前のハッチ用箱体３ａの蓋体２を開く。この場合、該手前のハッチ用箱体３ａの側板５から側方に突出した部分に指を掛けて図３（ａ）のように蓋体２を回動して起立させることで蓋体２を開くことができる。このようにして蓋体２を開いて起立させた状態で、当該ハッチ用箱体３ａ内に収納物を出し入れする。この場合、蓋体２を開いて図３（ａ）のように起立させた状態では、すでに述べたように、蓋体２の後端面が左右の側板５ｃ，５ｄの上面より少し浮き且つ後の側板５ｂよりも前方にずれた位置で起立するように構成してあるので、該起立した蓋体２と後側のハッチ用箱体３ａの蓋体２の前端面との間に隙間が生じる。したがって、後側のハッチ用箱体３ａの蓋体２の前端面に指を掛けて回動することで後側のハッチ用箱体３ａの蓋体２を同様にして図３（ｂ）のように回動して開き、後側のハッチ用箱体３ａの上開口１から内部に収納物の出し入れをすることができる。
【００３５】
また、図４のように、壁から離れた側である手前に引出し用箱体３ｂが位置し、壁側である後側にハッチ用箱体３ａが位置している場合に、後側に位置するハッチ用箱体３ａの蓋体２を開くには、まず、手前に位置する引出し用箱体３ｂの蓋体２の端部の前の側板５ａの外面よりも外側に突出した部分に指を掛けて蓋体２の端部を少し上に持ち上げた状態で手前に引くことで、図４（ａ）のように蓋体２の後端を後側の側板５ｂの上端よりも前方にずらす。これにより、該引出し用箱体３ｂの蓋体２の後端面と後側のハッチ用箱体３ａの蓋体２の前端面との間に隙間が生じるので、後側のハッチ用箱体３ａの蓋体２の前端面に指を掛けて回動することで後側のハッチ用箱体３ａの蓋体２を同様にして４（ｂ）のように回動して開き、後側のハッチ用箱体３ａの上開口１から内部に収納物の出し入れをすることができる。
【００３６】
手前に位置する引出し用箱体３ｂ内に収納物を出し入れするには、引出し３９を引出して引出し３９内に収納物を出し入れして再び引出し用箱体３ｂ内に引出し３９を収納する。
【図面の簡単な説明】
【００３７】
【図１】本発明の斜視図である。
【図２】同上の一部省略断面図である。
【図３】（ａ）（ｂ）は同上の蓋体を開く順序を示す説明図である。
【図４】同上の他の実施形態の蓋体を開く順序を示す説明図である。
【図５】（ａ）は同上のハッチ用箱体の蓋体を開いた状態の断面図であり、（ｂ）は蓋体を閉じた状態の断面図である。
【図６】（ａ）（ｂ）（ｃ）は同上のハッチ用箱体の組み立て順序を示す説明図である。
【図７】同上のリンク装置を示す斜視図である。
【図８】（ａ）は同上のコーナカバー部材の取付けを示す斜視図であり、（ｂ）は要部拡大斜視図である。
【図９】（ａ）（ｂ）（ｃ）は同上の引出し用箱体の組み立て順序を示す斜視図である。
【図１０】同上のコーナカバー部材の取付けを示す斜視図である。
【図１１】（ａ）は同上の引出し用箱体の分解斜視図であり、（ｂ）は同上の蓋体を上下逆にした斜視図である。
【図１２】同上のハッチ用箱体同士を並設して連結部材で連結する例を示す斜視図である。
【図１３】同上のハッチ用箱体と引出し用箱体とを並設して連結部材で連結する例を示す斜視図である。
【図１４】同上に用いるコーナカバー部材の断面図である。
【図１５】同上に用いる連結部材の断面図である。
【符号の説明】
【００３８】
１  上開口
２  蓋体
３  箱体
４  床置き畳台
５  側板
６  ねじ具
７  コーナカバー部材
８  連結部材
９  上横片
１０  隙間
【図１】
0004470850.tif 000002
【図２】
0004470850.tif 000003
【図３】
0004470850.tif 000004
【図４】
0004470850.tif 000005
【図５】
0004470850.tif 000006
【図６】
0004470850.tif 000007
【図７】
0004470850.tif 000008
【図８】
0004470850.tif 000009
【図９】
0004470850.tif 000010
【図１０】
0004470850.tif 000011
【図１１】
0004470850.tif 000012
【図１２】
0004470850.tif 000013
【図１３】
0004470850.tif 000014
【図１４】
0004470850.tif 000015
【図１５】
0004470850.tif 000016